(57)【要約】      （修正有）【課題】公共施設や民間施設及び個人が所有している殆どの譜面台に共用でき、載置する複数の譜面の幅に譜面台紙幅を自在に合わせられ、譜面両端の垂れ下がりもなく、譜面へのメモ書き時に下敷きを不要とし、台紙表裏面の色や図柄を自由に変えることができ客席からの譜面台頭部の見栄え演出ができるなど多機能な伸縮自在譜面台紙を提供する。【解決手段】本体台紙２に左右にスライドする稼働台紙３を組込み、譜面７の載置枚数の増減を調整する。本体標準以上の譜面７の載置を行う場合は増減拡張する稼働台紙３を本体台紙２に連結させ可変可能とする。本体台紙２及び稼働台紙３自身が譜面７の両端の垂れ下がりと譜面７の透過を防ぎ譜面メモ書き時の下敷きにもなる。本体台紙２の表裏面の透明フィルムポケットへの図案挿入や本体台紙２に垂れ幕５が設置できるので舞台イメージ演出ができる。【選択図】図１
0003195883.tif 000002
【実用新案登録請求の範囲】
【請求項１】
楽譜を設置する一般的な折りたたみ式譜面台や譜面カバーにおいて、複数枚の譜面を載置した時に生じる譜面両端の垂れ下がりを、台紙本体に付帯する左右に自在伸縮する台紙で防止することを特徴とした伸縮自在譜面台紙。
【請求項２】
台紙本体に透明フィルムポケットと垂れ幕連結部及び譜面落下防止受け部を付帯する。
【考案の詳細な説明】
【技術分野】
【０００１】
本考案は、既存の譜面台に設置する伸縮自在譜面台紙に関するものである。
【背景技術】
【０００２】
従来の標準的な譜面台は、Ａ４用紙大譜面を３枚以上載置すると譜面の両端が垂れてしまう。
【０００３】
譜面の両端垂れを防ぐ補助金具付き譜面台が既存しているが、公共施設や民間施設のレンタルスタジオに備えてある譜面台は、補助金具無しのものが殆どであるため譜面３枚以上載置時に譜面の両端垂れを解決できない。
【０００４】
また、折りたたみ式譜面台は、大きく空間があり光源位置によっては譜面が透けてしまい音符が読みづらくなるので譜面カバーを置かなければならない。
【０００５】
空間のある折りたたみ式譜面台使用時の譜面へのメモ書きは下敷きを要する。
【０００６】
光源位置による譜面透過防止や譜面メモ書き時の下敷き代わりになる折りたたみ式譜面カバーが既存しているが、2枚以上の可変譜面載置枚数に対する対応に限界がある。
【０００７】
折りたたみ式譜面台は譜面載置時の客席からの見栄えが悪い。
【考案の概要】
【考案が解決しようとする課題】
【０００８】
本考案は、公共施設や民間施設及び個人が所有している殆どの譜面台に共用でき、載置する複数の譜面の幅に譜面台紙幅を自在に合わせられ、譜面両端の垂れ下がりもなく、譜面へのメモ書き時に下敷きを不要とし、台紙表裏面の色や図柄を自由に変えることができ客席からの譜面台頭部の見栄え演出ができるなど多機能な伸縮自在譜面台紙の提供を目的とする。
【課題を解決するための手段】
【０００９】
本考案は、公共施設や民間施設及び家庭に標準的に完備されている従来の譜面台や鍵盤楽器に固定されている譜面置きに設置でき、折りたたみ式譜面台に直接取り付けることもできる。
【００１０】
Ａ４用紙大の譜面載置枚数４枚までの異なる横幅は、本体台紙の稼働台紙部分で左右に自在かつ容易に合わせることができる。
【００１１】
譜面載置拡張台紙を本体に連結することで4枚以上の譜面載置を可能とすることができる。
【００１２】
譜面載置2枚時の本体基準使用、譜面載置３枚から4枚迄は稼働台紙使用、載置4枚以上での連結拡張台紙使用などの時、載置譜面枚数に関係なく譜面両端の垂れ下がりが起こらない。
【００１３】
台紙本体下部に譜面受けを設置でき譜面落下を防止できる。
【００１４】
本考案全てが台紙構造であるので、空間がある折りたたみ式譜面台で生じる光源位置による譜面透過を防げる。
【００１５】
空間のある折りたたみ式譜面台使用時に生じる譜面へのメモ書き時に下敷き併用を不要とする。
【００１６】
空間のある折りたたみ譜面台使用時の譜面台頭部の見栄えの悪さを、台紙表裏面に透明ポケットを付帯させ自由にデザインを変化できるようにし譜面台頭部の見栄えを補える。
【００１７】
本体部の上段にパーツを装填し垂れ幕を設置することができ、譜面台イメージの個性化を演出できる。
【００１８】
本体は、標準的な譜面台に連結金具を使用して直接固定取り付けすることができる。
【考案の効果】
【００１９】
以上の説明から明らかなように本考案は、次に列挙する多様変化かつ多機能な効果が得られる。
【００２０】
台紙構造がシンプルなので、既存の標準的な殆どの折りたたみ式譜面台や鍵盤楽器に固定されている譜面置きなどに共用でき、かつ連結金具を使用して既存の標準的譜面台に直接固定取り付けすることができる。
【００２１】
Ａ４用紙大譜面載置４枚までは、本体の稼働台紙を伸縮して可変譜面数の横幅に自由に合わせられ、4枚以上は拡張台紙を連結させることで可能となる。
【００２２】
本体、稼働台紙、拡張台紙とも全てを台紙構造にすることで、譜面載置枚数に関係なく載置時の譜面両端の垂れ下がりを防止できる。
【００２３】
本体、稼働台紙、拡張台紙ともに全てを台紙構造にすることで、載置譜面メモ書きの下敷きを必要としない。
【００２４】
載置譜面枚数増加による譜面落下の危険は、台紙本体下部に設置できる譜面受けで防止できる。
【００２５】
本体台紙表裏面の透明ポケットに任意のイメージデザインを挿入できるので、客席から見た譜面台頭部の見栄えを良くすることができる。
【００２６】
連結部品を使用して本体台紙上部に垂れ幕を設置できるので舞台イメージを演出することができる。
【００２７】
連結金具を使用して台紙本体を既存の譜面台に直接固定取り付けすることができる。
【図面の簡単な説明】
【００２８】
【図１】本体台紙を既存の標準折りたたみ式譜面台に設置し、譜面4枚を載置しかつ本体台紙上部に垂れ幕を設置した図である。
【図２】本体台紙の稼働台紙を伸ばし、連結金具を使用して本体上部に垂れ幕を設置した図である。
【図３】稼働台紙部を広げず、本体部のみで譜面２枚を載置した図である。
【図４】稼働台紙部を左右に半分だけ広げ譜面３枚を載置した図である。
【図５】稼働台紙部を左右に全部広げ譜面４枚を載置した図である。
【図６】載置譜面枚数増加時の譜面落下防止の譜面受けを設置した図である。
【図７】本体台紙表裏面の透明フィルムポケットに図柄を書いた用紙を挿入した状態の図である。
【図８】本体台紙の上部に連結金具を用いて垂れ幕を設置した状態の図である。
【考案を実施するための形態】
【００２９】
従来の標準的な譜面台に設置でき、本体部は、載置する可変譜面枚数の横幅に自在に合わせられる左右に伸縮する台紙から成る。本体部には、Ａ４大用紙譜面４枚迄を可変載置でき、５枚以上の譜面載置はオプションの譜面載置拡張台紙を本体部に追加することで可能とした。及び本体部と拡張部自体が台紙となっているので譜面の両端垂れ防止と譜面へのメモ書き時の下敷きを兼ねている。又、本体部の台紙表裏面に透明フィルムポケットを付帯したので本体台紙に自由に図柄書いた用紙を挿入することができる。更に連結部品を用い、本体上部に舞台イメージ演出の垂れ幕設置や本体下部に譜面多数載置時の落下防止譜面受けを設置することができる。
【実施例】
【００３０】
以下、添付図面に従って一実施例を説明する。１は可変譜面台紙を設置した既存の標準折りたたみ式譜面台。２は本考案の本体台紙。３は本体台紙部の稼働台紙。４は着脱できる垂れ幕を上部に設置する部品。５は垂れ幕設置部品に設置した垂れ幕。６は本体下部に設置した譜面多数載置時の落下防止受け。７は台紙に載置した４枚の譜面。８は図柄を挿入した本体台紙の表裏面に付帯している透明フィルムポケット。
【符号の説明】
【００３１】
１既存の折りたたみ式譜面台
２本体台紙
３稼働台紙
４垂れ幕設置部品
５垂れ幕
６譜面落下防止受け
７譜面
８透明フィルムポケット
【図１】
0003195883.tif 000003
【図２】
0003195883.tif 000004
【図３】
0003195883.tif 000005
【図４】
0003195883.tif 000006
【図５】
0003195883.tif 000007
【図６】
0003195883.tif 000008
【図７】
0003195883.tif 000009
【図８】
0003195883.tif 000010
【手続補正書】
【提出日】平成26年11月5日(2014.11.5)
【手続補正１】
【補正対象書類名】実用新案登録請求の範囲
【補正対象項目名】請求項２
【補正方法】変更
【補正の内容】
【請求項２】
譜面台紙の表裏面にイメージデザイン絵柄を挿入する透明フィルムポケットを有し、かつ垂れ幕と譜面落下防止皿の設置孔が付帯していることを特徴とする請求項１記載の伸縮自在譜面台紙。